【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
デバイス上のコンテンツにアクセスする方法であって、
ａ）複数の保護されたメディア部分を伴う単一メディア・ストレージ構造を受信するステップと、
ｂ）前記デバイスがアクセス許可を有する、前記複数の保護されたコンテンツの各ピースに対する鍵を受信するステップであって、前記受信された鍵のセットは少なくとも１つの保護されたメディア部分に対する鍵は含まない、ステップと、
ｃ）前記受信された各鍵を前記単一メディア・ストレージ構造に格納するステップと、
ｄ）前記デバイスがアクセス許可を有する、ある保護されたメディア部分にアクセスするため、受信された特定の鍵を使用するステップと、
から成ることを特徴とする方法。
【請求項２】
前記デバイスはコンピュータであることを特徴とする請求項１記載の方法。
【請求項３】
前記メディア・ストレージ構造は、前記メディア・ストレージ構造は各鍵に対するスロットを含み、それぞれのスロットは前記メディア・ストレージ構造の特定の保護されたメディア部分に対する特定の鍵を格納するためのものであることを特徴とする請求項１記載の方法。
【請求項４】
前記デバイスは前記メディア・ストレージ構造を格納し、前記複数の保護されたメディア部分にアクセスするために、前記デバイスは前記メディア・ストレージ構造を取得し、前記ストレージ構造に格納された前記鍵のセットを使用して保護を解除し、前記ストレージ構造の前記保護されたメディア部分にアクセスすることを特徴とする請求項１記載の方法。
【請求項５】
前記単一メディア・ストレージ構造は、保護されたそれぞれのメディア部分に対する各鍵とは別に受信されることを特徴とする請求項１記載の方法。
【請求項６】
前記保護されたメディア部分の１つは、オーディオ・コンテンツであり、もう一つは前記オーディオ・コンテンツに関連したビデオ・コンテンツであることを特徴とする請求項１記載の方法。
【請求項７】
前記オーディオ・コンテンツはソングであり、前記ビデオ・コンテンツは前記ソングに関連付けられた音楽ビデオであることを特徴とする請求項６記載の方法。
【請求項８】
前記保護されたメディア部分の１つはオーディオ・コンテンツであり、もう一つは前記ビデオ・コンテンツに関連したテキスト・コンテンツであることを特徴とする請求項１記載の方法。
【請求項９】
前記オーディオ・コンテンツはソングであり、前記テキスト・コンテンツは前記ソングの歌詞であることを特徴とする請求項８記載の方法。
【請求項１０】
前記保護されたメディア部分の１つはビデオ・コンテンツであり、もう一つは前記ビデオ・コンテンツに関連したテキスト・コンテンツであることを特徴とする請求項１記載の方法。
【請求項１１】
前記テキスト・コンテンツは前記ビデオ・コンテンツに関連した会話であることを特徴とする請求項１記載の方法。
【請求項１２】
コンピュータに格納されたメディア・ファイルと同期させるためのプレーヤであって、前記プレーヤは、前記コンピュータに格納された前記メディア・ファイル全体よりは小さい前記メディア・ファイルの一部を格納するための内部データ・ストレージを備え、前記コンピュータ上の前記メディア・ファイルは、暗号化された第１と第２のメディア部分と、前記第１のメディア部分を復号化するための第１の鍵と、前記第２のメディア部分を復号化するための第２の鍵とを有することを特徴とするプレーヤ。
【請求項１３】
前記プレーヤはポータブル・プレーヤであることを特徴とする請求項１２記載のプレーヤ。
【請求項１４】
前記メディア・ファイルの格納された部分は、前記第１のメディア部分を含むが、前記第２のメディア部分は含まれないことを特徴とする請求項１２記載のプレーヤ。
【請求項１５】
前記第２のメディア部分は、前記内部のデータ・ストレージに前記メディア・ファイルの一部が格納される前に、前記メディア・ファイルから削除されることを特徴とする請求項１４記載のプレーヤ。
【請求項１６】
前記メディア・ファイルの格納された一部は前記第１の鍵は含むが、第２の鍵は含まないことを特徴とする請求項１２記載のプレーヤ。
【請求項１７】
前記第２の鍵は、前記メディア・ファイル一部が前記内部データ・ストレージに格納される前に、前記メディア・ファイルから削除されることを特徴とする請求項１６記載のプレーヤ。
【請求項１８】
前記デバイスと暗号化されたコンテンツを同期させる方法であって、
ａ）前記デバイスに転送する必要がある、暗号化されたメディア部分のセットを含むメディア・ストレージ構造を識別するステップと、
ｂ）前記デバイスに転送すべきでないセットに含まれる少なくとも１つの特定の暗号化されたメディア部分を識別するステップと、
ｃ）前記デバイスに、前記識別された特定の暗号化されたメディア部分を除いた、前記メディア・ストレージ構造を転送するステップと、
から成ることを特徴とする方法。
【請求項１９】
前記メディア・ストレージ構造は１セットの鍵を含み、前記セット内のそれぞれの特定の鍵は特定の暗号化されたメディア部分を復号化するためのものであることを特徴とする請求項１８記載の方法。
【請求項２０】
前記識別された特定の暗号化されたメディア部分に対応する鍵を除いて、前記メディア・ストレージ構造を前記デバイスに転送するステップをさらに含むことを特徴とする請求項１９記載の方法。
【請求項２１】
前記転送されたメディア・ストレージ構造は、前記メディア・ストレージ構造内の前記デバイスに転送された暗号化された各メディア部分に対する鍵を含むことを特徴とする請求項１９記載の方法。
【請求項２２】
前記暗号化されたメディア部分のセットは、暗号化されたコンテンツ・オーディオ・ピースと、関連した暗号化されたビデオ・ピースとを含み、前記識別された特定の暗号化されたメディア部分は前記ビデオ・ピースであることを特徴とする請求項１８記載の方法。
【請求項２３】
暗号化されたコンテンツを受信するため、第１のデバイスを第２のデバイスに同期させる方法であって、
同期動作を開始するため、第１のデバイスを前記第２のデバイスに接続するステップと、
前記第２のデバイスに格納され、且つ関連した暗号化されたメディア部分のセットを有するメディア・ストレージ構造を受信するステップと、
から構成され、
前記第２のデバイスに格納されたとき、前記メディア・ストレージ構造は、前記受信されたメディア・ストレージ構造の一部ではない少なくとも１つの暗号化されたメディア部分を含むことを特徴とする方法。
【請求項２４】
前記第２のデバイスに格納された前記メディア・ストレージ構造は鍵のセットを含み、そのセット内の各鍵はある暗号化されたメディア部分を復号化するためのものであることを特徴とする請求項２３記載の方法。
【請求項２５】
前記第１のデバイスによって受信された前記メディア・ストレージ構造は、前記第１のデバイスによって受信された前記メディア・ストレージ構造にはない前記特定の暗号化されたメディア部分に対応する鍵は含まないことを特徴とする請求項２４記載の方法。
【請求項２６】
前記受信されたメディア・ストレージ構造は、前記受信されたメディア・ストレージ構造で受信されたそれぞれの暗号化されたメディア部分に対する鍵を含むことを特徴とする請求項２４記載の方法。
【請求項２７】
前記暗号化されたメディア部分のセットは、暗号化されたオーディオ・ピースと暗号化されたビデオ・ピースを含み、前記特定の暗号化されたメディア部分はビデオ・ピースであることを特徴とする請求項２３記載の方法。
【請求項２８】
ａ）コンテンツにアクセスするための第１のデバイスと、
ｂ）コンテンツにアクセスするための第２のデバイスと、
から成るシステムであって、
前記第２のデバイスは、
(ｉ）暗号化されたメディア部分のセットを含むメディア・ストレージ構造を格納し、
（ii）前記セット内にある、前記第１のデバイスに転送されるべきでない少なくとも１つの特定の暗号化されたメディア部分を識別し、
（iii）前記識別された特定の暗号化されたメディア部分を除く前記メディア・ストレージ構造を前記第１のデバイスに転送する
ためのものであることを特徴とするコンテンツを配信するシステム。
【請求項２９】
前記メディア・ストレージ構造は鍵のセットを含み、前記セット内の各特定の鍵は、特定の暗号化されたメディア部分を復号化するためのものであることを特徴とする請求項２８記載のシステム。
【請求項３０】
前記転送されたメディア・ストレージ構造は、前記識別された特定の暗号化されたメディア部分に対応する前記鍵を含むことを特徴とする請求項２９記載のシステム。
【請求項３１】
前記転送されたメディア・ストレージ構造は、前記メディア・ストレージ構造内の前記デバイスに転送されるそれぞれの暗号化されたメディア部分に対する鍵を含むことを特徴とする請求項２９記載の方法。
【請求項３２】
前記第２のデバイスに前記暗号化されたメディア部分と前記鍵のセットを転送するためのコンピュータのセットを備えることを特徴とする請求項２９記載のシステム。
【請求項３３】
前記コンピュータのセットは、前記鍵のセットからの鍵を除いた、前記暗号化されたメディア部分を、前記メディア・ストレージ構造内の前記第２のデバイスに転送するためのものであることを特徴とする請求項３２記載のシステム。
【請求項３４】
前記コンピュータのセットは、前記メディア・ストレージ構造とは別に、前記鍵のセットをさらに転送し、前記第２のデバイスは前記コンピュータのセットから受信された前記メディア・ストレージ構造に前記鍵のセットをさらに格納することを特徴とする請求項３３記載のシステム。
【請求項３５】
コンピュータとデバイス間のコンテンツを同期させる方法であって、この方法は、
前記コンピュータにおいて、前記デバイスが、前記コンピュータに格納された単一メディア・ストレージ構造から保護された複数のメディア部分へのアクセス許可を持っているか否かを判定するステップと、
前記コンピュータにおいて、前記単一メディア・ストレージ構造から、前記デバイスがアクセス許可を持たないある特定の少なくとも１つの保護されたメディア部分を削除するステップと、
前記コンピュータにおいて、前記削除された保護されたメディア部分を含まないある特定の単一メディア・ストレージ構造を提供するステップと、
から成ることを特徴とする方法。
【請求項３６】
前記保護されたメディア部分を削除するステップは、前記単一メディア・ストレージ構造から、前記削除された保護されたメディア部分に関連した鍵を削除するステップをさらに有することを特徴とする請求項３５記載の方法。
【請求項３７】
デバイスのメディア・コンテンツにアクセスする方法であって、
複数の保護されたメディア部分を伴う第１の単一メディア・ストレージ構造を受信するステップと、
第１のデバイスがアクセス許可を持つ、前記複数の保護されたコンテンツの各ピースに対する鍵を受信するステップであって、少なくとも１つの保護されたメディア部分に対する少なくとも１つの鍵は、前記第１の単一メディア・ストレージ構造とは別に受信される、ステップと、
前記第１のデバイスがアクセス許可を持つ保護されたメディア部分にアクセスするため、前記第１の単一メディア・ストレージ構造に、前記受信された少なくとも１つの鍵を格納するステップと、
前記第１のデバイスに格納された前記第１の単一メディア・ストレージ構造から保護されている前記複数のメディア部分に、第２のデバイスがアクセスしてよいかどうかの許可を判定するステップと、
前記第１の単一メディア・ストレージ構造から保護された少なくとも１つのメディア部分を削除するステップであって、前記削除された保護されたメディア部分は前記第２のデバイスがアクセス許可を持たない特定の保護されたメディア部分である、ステップと、
前記第１の単一メディア・ストレージ構造から削除された前記少なくとも１つの保護されたメディア部分を除き、前記第１の単一メディア・ストレージ構造から保護されている前記複数のメディア部分を含んだ第２の単一メディア・ストレージ構造を提供するステップと、
から構成されることを特徴とする方法。
【請求項３８】
前記少なくとも１つのメディア部分を削除するステップは、前記第１の単一メディア・ストレージ構造から削除された前記少なくとも１つの保護されたメディア部分に関連した鍵を削除するステップをさらに有し、前記第２の単一メディア・ストレージ構造は前記第１の単一メディア・ストレージ構造から削除された前記少なくとも１つの鍵は含まないことを特徴とする請求項３７記載の方法。
【請求項３９】
前記第１のデバイスはコンピュータであり、前記第２のデバイスは前記コンピュータと同期するプレーヤであることを特徴とする請求項３７記載の方法。
【請求項４０】
前記第１のデバイスはコンピュータであることを特徴とする請求項３７記載の方法。
【請求項４１】
デバイス上のメディア・コンテンツにアクセスする方法であって、
複数の保護されたメディア部分を伴う第１の単一メディア・ストレージ構造を受信するステップと、
第１のデバイスがアクセス許可を持つ、前記複数の保護されたコンテンツの各ピースに対する鍵を受信するステップであって、少なくとも１つの保護されたメディア部分に対する少なくとも１つの鍵は前記第１の単一メディア・ストレージ構造とは別に受信される、ステップと、
前記第１のデバイスがアクセス許可を持つ、ある保護されたメディア部分にアクセスするため、少なくとも１つの受信された鍵を、前記第１の単一メディア・ストレージ構造に格納するステップと、
前記第１のデバイスに格納された前記第１の単一メディア・ストレージ構造から保護された前記複数のメディア部分に、前記第２のデバイスがアクセス許可を有するかどうかを判定するステップと、
前記第１の単一メディア・ストレージ構造から保護された少なくとも１つのメディア部分に関連した少なくとも１つの鍵を削除するステップであって、前記削除された鍵は、特定の保護されたメディア部分に関連した、前記第２のデバイスがアクセス許可を持たないある特定の鍵である、ステップと、
前記第１の単一メディア・ストレージ構造から保護された複数のメディア部分と少なくとも１つの格納された鍵を含むが、前記第１の単一メディア・ストレージ構造から削除された少なくとも１つの鍵は含まない前記第２の単一メディア・ストレージ構造を、前記第２のデバイスに提供するステップと、
から構成されることを特徴とする方法。
【請求項４２】
前記第１のデバイスはコンピュータであり、前記第２のデバイスはポータブルプレーヤであることを特徴とする請求項４１記載の方法。
【請求項４３】
デバイス上のメディア・コンテンツにアクセスする方法であって、
複数の保護されたメディア部分を伴う第１の単一メディア・ストレージ構造を受信するステップと、
第１のデバイスがアクセス許可を持つ前記複数の保護されたコンテンツの各ピースに対する鍵を受信するステップであって、少なくとも１つの保護されたメディア部分に対する少なくとも１つの鍵は前記第１単一メディア・ストレージ構造とは別に受信される、ステップと、
前記第１のデバイスに格納された前記第１単一メディア・ストレージ構造から保護されている前記複数のメディア部分に、第２のデバイスがアクセスしてよいかどうかを判定するステップと、
前記第１単一メディア・ストレージ構造から少なくとも１つのメディア部分を削除するステップであって、前記削除された保護されたメディア部分は、前記第２のデバイスがアクセス許可を持たない特定の保護されたメディア部分である、ステップと、
前記第１単一メディア・ストレージ構造から削除された保護されたメディア部分に関連した鍵を削除するステップと、
前記第１単一メディア・ストレージ構造から保護された前記複数のメディア部分と少なくとも１つの鍵を含むが、前記第１単一メディア・ストレージ構造から削除された前記少なくとも１つの保護されたメディア部分と前記鍵を含まない、第２単一メディア・ストレージ構造を第２のデバイスに提供するステップと、
から成ることを特徴とする方法。
【請求項４４】
前記第１のデバイスはコンピュータであり、前記第２のデバイスは前記コンピュータと同期するプレーヤであることを特徴とする請求項４３記載の方法。
【請求項４５】
前記第２の単一メディア・ストレージ構造は、前記第１の単一メディア・ストレージ構造を同一であることを特徴とする請求項４３記載の方法。
【請求項４６】
少なくとも１つのプロセッサで実行可能なコンピュータプログラムを格納するコンピュータ可読媒体であり、前記コンピュータプログラムは前記請求項１乃至１１、請求項１８乃至２７、請求項３５乃至４５に記載の方法を実行するための命令を含むことを特徴とするコンピュータ可読媒体。